(57)【要約】【課題】市販のハンガーに付設して、フード付き衣類を安定して支持することができるハンガー用冶具及びその冶具を付設したハンガーを提供する。【解決手段】これは、フック部材１１と、前記フック部材１１から左右に延びるショルダ部材１２と、前記フック部材１１で所定場所に吊り下げた状態での前記ショルダ部材１２の下方において該両ショルダ部材１２の左右先端部間を連結する連結部材１３とからなるハンガー１に取り付けられ、フード付き衣類を掛けるためのハンガー用冶具２であって、衣類のフードを立姿勢で被せるためのフード被せ部２１と、該フード被せ部２１と略一体となって前記連結部材１３に回転自在及び／又は着脱自在に取り付けられる取り付け部２２とを備えている。【選択図】図１
2014209944.tif 000002
【特許請求の範囲】
【請求項１】
フック部材と、前記フック部材から左右に延びるショルダ部材と、前記フック部材で所定場所に吊り下げた状態での前記ショルダ部材の下方において該両ショルダ部材の左右先端部間を連結する連結部材とからなるハンガーに取り付けられ、フード付き衣類を掛けるためのハンガー用冶具であって、
衣類のフードを立姿勢で被せるためのフード被せ部と、該フード被せ部と略一体となって前記連結部材に回転自在及び／又は着脱自在に取り付けられる取り付け部とを備えたことを特徴とするハンガー用冶具。
【請求項２】
前記フード被せ部と前記取り付け部とが略一体となって、前記連結部材まわりに前方回転させられたときに、前記フード被せ部の先端付近だけが前記フックを通過して斜め上後方にて止まるように、前記フード被せ部又は前記取り付け部の少なくとも一部が前記ショルダ部材の前側に当接可能であるようにしたことを特徴とする請求項１記載のハンガー用冶具。
【請求項３】
前記フード被せ部と前記取り付け部とは、少なくとも一本の針金状部材をループ状に屈曲するとともに中間部にてクロスさせることにより、前面視又は後面視で逆γ字状となるように形成したことを特徴とする請求項１又は２記載のハンガー用冶具。
【請求項４】
前記取り付け部は、前記針金部材の左右両端付近でさらにループ状に屈曲して前記連結部材に巻きつけるようにしたことを特徴とする請求項３記載のハンガー用冶具。
【請求項５】
請求項１〜４のいずれか１項に記載のハンガー用冶具を備え、前記フック部材が縦軸まわりに回転可能なハンガーであることを特徴とするハンガー。
【発明の詳細な説明】
【技術分野】
【０００１】
本発明は、フード付き衣類を掛けるためのハンガー用冶具及びその冶具を付設したハンガーに関するものである。
【背景技術】
【０００２】
パーカーなどのフード付き衣類を市販のハンガーに掛けておくと、そのフード部分が垂れ下がるので、型崩れや皺などが生じやすい。そこで、フード部分を引っ掛けるように工夫した特殊ハンガーが開発されているが、かかる工夫のなされていない市販のハンガーに比べて汎用性がなく、高価でもあることから、あまり市場に出回っていないというのが実情である。
【０００３】
すなわち、ワイシャツやブラウスなどのフード付きではない衣類を掛ける場合には、かかる特殊ハンガーが不要であるが、それを市販のハンガーとは別個に収納しておくためのスペースがない。また、クリーニング店で針金状のハンガーなどが無料でサービス品として提供されていることが多く、その有効活用を図ることが望ましい。このため、市販のハンガーに取り付け可能なハンガー用冶具が種々開発されている。
【０００４】
例えば特許文献１では、ほぼ台形状又は山形状の第１の掛止部と、第１の掛止部に対して回動可能でかつほぼ直角位置に停止可能な第２の掛止部から成り、前記第１の掛止部に被服本体を吊り下げ、第２の掛止部で、被服本体に付着したフードを拡げてその内面を支持するようにしたハンガーが開示されている。
【０００５】
また特許文献２では、本体は、略リング状のフード掛けリングとその下部より突出させたＳ字状支部、またその支部をつないでフードの重さを支える略棒状支部を持たせた構成による、フード付き衣服用補助ハンガーが開示されている。
【０００６】
また特許文献３では、略Ｖ字状の屈曲棒材の両端をハンガー本体の両横部に回動可能状に取り付けるとともに、該ハンガー本体に着止する着止部を片端に有する着止棒材の他端を該屈曲部材の中央突出箇所に回動可能状に取り付けて成ることを特徴とするフード付衣服用ハンガー及びその部材が開示されている。
【０００７】
また特許文献４では、リング状に形成されたフード掛けリングの最下部において、上端に吊り鉤を備えた吊り杆をフード掛けリングの前面に約３０度の傾斜をもって固着し、かつ該吊り杆の後側の中央部から上方に向けて側面Ｖ字状にフード引っ掛け杆を固着し、かつ該フード引っ掛け杆の固着位置よりやや下方の前側に、リング状のハンガー掛けリングが突設されてなるフード付き衣服干し具が開示されている
【発明の概要】
【発明が解決しようとする課題】
【０００８】
しかしながら、上記特許文献４では、リング状のハンガー掛けリングをハンガーのフック部材に引っ掛けているだけである。そのため、ハンガーを左右のいずれか一方に倒す向きのモーメントが大きくなり、ハンガーを所定位置に吊り下げたときには、当該ハンガーの安定した支持が期待できない。そして、フード付きの衣類を掛けた状態で、強い風圧を受けると特に不安定になり、その衣類がハンガーから脱落してしまうおそれがある。
【０００９】
この点、特許文献１〜３では、衣類のフード部分をハンガー後方に横向きに支持しているから、ハンガーを左右のいずれか一方に倒す向きのモーメントには耐えうるものの、今度は、ハンガーを後方に倒す向きのモーメントが大きくなり、ハンガーを所定位置に吊り下げたときには、当該ハンガーの安定した支持が期待できない。そして、この場合も、フード付きの衣類を掛けた状態で、強い風圧を受けると特に不安定になり、その衣類がハンガーから脱落してしまうおそれがある。
【００１０】
また、特許文献１〜３では、衣類のフード部分をハンガー後方に横向きに支持しているから、ハンガー間の間隔を大きくとる必要がある。したがって、フード付き衣類が多い場合には、その衣類を乾燥させるための広いスペースが必要となる。さらに、商品としてのフード付き衣類を引っ掛けておく場合には、同様の問題があるとともに、そのフード部分が死角になることがあることから、ショーウィンドウでの展示には向かないのは明らかである。
【００１１】
本発明は、このような事情に鑑みてなされたもので、市販のハンガーに付設して、フード付き衣類を安定して支持することができるハンガー用冶具及びその冶具を付設したハンガーを提供することを目的とする。
【課題を解決するための手段】
【００１２】
第一の発明は、フック部材と、前記フック部材から左右に延びるショルダ部材と、前記フック部材で所定場所に吊り下げた状態での前記ショルダ部材の下方において該両ショルダ部材の左右先端部間を連結する連結部材とからなるハンガーに取り付けられ、フード付き衣類を掛けるためのハンガー用冶具であって、衣類のフードを立姿勢で被せるためのフード被せ部と、該フード被せ部と略一体となって前記連結部材に回転自在及び／又は着脱自在に取り付けられる取り付け部とを備えたことを特徴とするものである。
【００１３】
第一の発明によれば、衣類のフードを立姿勢で被せるためのフード被せ部と、該フード被せ部と略一体となって前記連結部材に回転自在及び／又は着脱自在に取り付けられる取り付け部とを備えたので、市販のハンガーに安定して取り付けることができ、そのハンガー間の間隔を小さくすることができる。したがって、フード付き衣類が多い場合でも、狭いスペースで済む。また、商品としてのフード付き衣類をショーウィンドウで展示する場合にも、その全体を視認できるので好適である。
【００１４】
また、前記フード被せ部と前記取り付け部とが略一体となって、前記連結部材まわりに前方回転させられたときに、前記フード被せ部の先端付近だけが前記フックを通過して斜め上後方にて止まるように、前記フード被せ部又は前記取り付け部の少なくとも一部が前記ショルダ部材の前側に当接可能であるようにすることが好ましい。
【００１５】
この場合、前記フード被せ部と前記取り付け部とが略一体となって、前記連結部材まわりに前方回転させられたときに、前記フード被せ部の先端付近だけが前記フックを通過して斜め上後方にて止まるように、前記フード被せ部又は前記取り付け部の少なくとも一部が前記ショルダ部材の前側に当接可能であるようにしたので、フード被せ部に衣類のフードを立姿勢で被せることができ、そのときの安定性に優れている。
【００１６】
また、前記フード被せ部と前記取り付け部とは、少なくとも一本の針金状部材をループ状に屈曲するとともに中間部にてクロスさせることにより、前面視又は後面視で逆γ字状となるように形成することが好ましい。
【００１７】
この場合、前記フード被せ部と前記取り付け部とは、少なくとも一本の針金状部材をループ状に屈曲するとともに中間部にてクロスさせることにより、前面視又は後面視で逆γ字状となるように形成したので、フード被せ部に衣類のフードを立姿勢で被せたときの該フード部分の型崩れや皺などが発生することを防止できる。
【００１８】
また、前記取り付け部は、前記針金部材の左右両端付近でさらにループ状に屈曲して前記連結部材に巻きつけるようにすることが好ましい。
【００１９】
この場合、前記取り付け部は、前記針金部材の左右両端付近でさらにループ状に屈曲して前記連結部材に巻きつけるようにしたので、取り付け部材を、連結部材に回転自在及び／又は着脱自在に取り付けることができる。
【００２０】
第二の発明は、請求項１〜４のいずれか１項に記載のハンガー用冶具を備え、前記フック部材が縦軸まわりに回転可能なハンガーであることを特徴とするハンガーに係るものである。
【００２１】
第二の発明によれば、請求項１〜４のいずれか１項に記載のハンガー用冶具を備え、前記フック部材が縦軸まわりに回転可能なハンガーであるので、上記第一の発明と同様の作用効果に加えて、フード被せ部にフード付き衣類を被せたときに、そのフード部分がフック部材での吊り下げを邪魔することがなくなる。
【発明の効果】
【００２２】
第一の発明によれば、衣類のフードを立姿勢で被せるためのフード被せ部と、該フード被せ部と略一体となって前記連結部材に回転自在及び／又は着脱自在に取り付けられる取り付け部とを備えたので、市販のハンガーに安定して取り付けることができ、そのハンガー間の間隔を小さくすることができる。したがって、フード付き衣類が多い場合でも、狭いスペースで済む。また、商品としてのフード付き衣類をショーウィンドウで展示する場合にも好適である。
【００２３】
第二の発明によれば、請求項１〜４のいずれか１項に記載のハンガー用冶具を備え、前記フック部材が縦軸まわりに回転可能なハンガーであるので、上記第一の発明と同様の作用効果に加えて、フード被せ部にフード付き衣類を被せたときに、そのフード部分がフック部材での吊り下げを邪魔することがなくなる。
【図面の簡単な説明】
【００２４】
【図１】本発明の一実施形態に係るハンガー用冶具を付設したハンガーの全体構成を示す斜視図である。
【図２】本ハンガー用冶具を付設したハンガーの構成を示す説明図であって、（ａ）は正面図、（ｂ）は側面図である。
【図３】本ハンガー用冶具を付設したハンガーの使用例を示す説明図である。
【発明を実施するための形態】
【００２５】
図１は本発明の一実施形態に係るハンガー用冶具２を付設したハンガー１の全体構成を示す斜視図である、図２はその説明図であって、（ａ）は正面図、（ｂ）は側面図である。
【００２６】
図１及び図２（ａ）（ｂ）に示すように、このハンガー１は、主として太い針金からなっており、物干し竿などの所定場所に吊り下げるためのフック部材１１と、前記フック部材１１から左右に延びるショルダ部材１２と、フック部材１１で前記所定場所に吊り下げた状態でのショルダ部材１２の下方において両ショルダ部材１２の左右先端部間を連結する連結部材１３とからなっている。このハンガー１は市販のもの（クリーニング店などのサービス品として提供されるものを含む。）を使用すればよい。ただし、フック部材１１は、縦軸まわりにねじって正面向きとしている。
【００２７】
このハンガー１に付設されるハンガー用冶具２は、衣類のフードを立姿勢で被せるためのフード被せ部２１と、このフード被せ部２１と略一体となって、ハンガー１の連結部材１３に回転自在及び／又は着脱自在に取り付けられる取り付け部２２とを備えている。
【００２８】
すなわち、フード被せ部２１と取り付け部２２とは、ハンガー１よりもやや細い針金を縦長のループ状に屈曲するとともに中間部にてクロスさせることにより、前面視又は後面視で逆γ字状となるように形成されて、側面視で後方に若干反った形状となっている。なお、フード被せ部２１がフード付き衣類を被せたときの変形が過大とならないように、その先端部と中間部との間を別途針金で互いに連結してもよいし、中間部のクロスさせた部分を別途針金で結束してもよい。
【００２９】
取り付け部２２は、前記針金の左右両端付近でさらにループ状に屈曲して、ハンガー１の連結部材１３に巻きつけるようにしている。ループは基本的には１回以上であればよいが、フード被せ部２１がフード付き衣類を被せたときに、そのループの変形が過大とならないように、複数回のループからなる螺旋状などとしてもよい。ここでは、ループ先端を開放することで、取り付け部２２は、ハンガー１の連結部材１３に回転自在かつ着脱自在に取り付けられている。ただし、ループ先端を閉じておけば、取り付け部２２は、ハンガー１の連結部材１３に回転自在に取り付けられるものの、着脱自在とはならないことは容易に理解できる。
【００３０】
そして、フード被せ部２１と取り付け部２２とが略一体となって、ハンガー１の連結部材１３まわりに前方回転させられたときに、フード被せ部２１の先端付近だけがフック部材１１を通過して斜め上後方にて止まるように、フード被せ部２１又は前記取り付け部２２の少なくとも一部がハンガー１のショルダ部材１２の前側に当接可能となっている。
【００３１】
これにより、取り付け部２２からフード被せ部２１の中間部までは、ハンガー１のショルダ部材１２の前側と連結部材１３の左右両端付近とで３点支持されるので、左右方向のモーメントに十分に耐えることができて、きわめて安定的なものとなる。また、フード被せ部２１の中間部から先端部はいわゆる片持ち梁を構成するが、フード付き衣類３のフード部分を立て姿勢とすることで、後方へのモーメントも少なくなり、安定的なものとなる。しかも、この片持ち梁の構成により、フード被せ部２１は弾性を持つものとなり、フード付き衣類３のフード部分を、フード被せ部２１に被せることが容易となる。
【００３２】
以下、本ハンガー用冶具２を付設したハンガー１の使用方法について説明する。図３はその使用例を示す説明図である。ここでは、パーカーなどのフード付き衣類３を引っ掛けて天日で乾燥させる場合を説明する。なお、フード付きでない衣類を引っ掛ける場合は、ハンガー１だけで対応できるので、その説明は省略する。
【００３３】
まず、使用者はハンガー１にハンガー用冶具２を付設する。具体的には、ハンガー用冶具２の取り付け部２２である左右２箇所のループ部分を、ハンガー１の連結部材１３の左右両端付近にそれぞれ嵌め込む。このとき、ハンガー用冶具２は変形自在であるので、嵌め込み作業は容易である。
【００３４】
そして、ハンガー１の連結部材１３の左右両端付近にそれぞれ嵌めこんだ取り付け部２２を、フード被せ部２１とともに、ハンガー１の連結部材１３まわりに前方回転させる。この前方回転により、フード被せ部２１又は前記取り付け部２２の少なくとも一部がハンガー１のショルダ部材１２の前側に当接することで、フード被せ部２１の先端付近だけがフック部材１１を通過して斜め上後方にて止まる。これにより、ハンガー用冶具２のハンガー１への付設が完了する。
【００３５】
このようにしてハンガー用冶具２を付設したハンガー１の左右に延びるショルダ部材１２に、フード付き衣類３の両肩部分をそれぞれ被せる。しかる後に、フード付き衣類３のフード部分を、ハンガー用冶具２のフード被せ部２１に被せる。このとき、フード被せ部２２の弾性により、フード付き衣類３のフード部分を、フード被せ部２１に被せることがきわめて容易となる。
【００３６】
また、本ハンガー１に付設したハンガー用冶具２の前記３点支持構成により、左右方向のモーメントに十分に耐えることができるとともに、フード付き衣類３のフード部分を立て姿勢とするから、前記片持ち構成にもかかわらず、後方へのモーメントも少なくなる。したがって、ハンガー用冶具２でフード付き衣類３をきわめて安定的に支持することができるので、その吊り下げ状態で風圧を受けたとしても、その衣類３がハンガー１から脱落してしまうおそれがない。
【００３７】
そして、天日によりフード付き衣類３が十分に乾燥したときには、そのフード付き衣類３のフード部分をハンガー用冶具２のフード被せ部２１から取り外す。しかる後に、フード付き衣類３の両肩部分をハンガー１の左右に延びるショルダ部材１２から取り外して、フード付き衣類３をハンガー１から完全に取り外す。
【００３８】
引き続き、フード付き衣類３を乾燥させるときには、そのままハンガー用冶具２を付設したハンガー１を使用するのであるが、シャツやブラウスなどのフード付きでない衣類を乾燥させるときには、そのハンガー１からハンガー用冶具２を取り外す。その手順は上記と逆順にすればよい。
【００３９】
以上説明したように、本実施形態のハンガー用冶具２を付設したハンガー１によれば、フード付き衣類３のフード部分を立姿勢で被せるためのフード被せ部２１と、このフード被せ部２１と略一体となってハンガー１の連結部材１３に回転自在及び／又は着脱自在に取り付けられる取り付け部２２とを備えたので、ハンガー用冶具２を市販のハンガー１に安定して取り付けることができ、複数のハンガー１，１，・・・間の間隔を小さくすることができる。したがって、フード付き衣類３が多い場合でも、狭いスペースで済む。
【００４０】
なお、上記実施形態では、ハンガー用冶具２を付設したハンガー１を用いてフード付き衣類３を天日で乾燥させる場合を例示したが、このハンガー用冶具２を付設したハンガー１の使用方法はこれに限定されない。例えば、このハンガー用冶具２を付設したハンガー１を用いて、商品としてのフード付き衣類をショーウィンドウで展示することとしてもよい。その場合にも、複数のハンガー１，１，・・・の間隔を狭くして、より多くのフード付き衣類３を展示できる。これに加えて、立ち姿勢ではフード部分が死角とならないから、その展示に好適であるといえる。
【００４１】
また、上記実施形態では、ハンガー１は、その全体が太い針金からなっているものとしたが、その一部又は全部を木製や合成樹脂製のものとしてもよい。例えば、金属製のフック部材１１を木製のショルダ部材１２の頂部に回転自在に植設し、そのフック部材１１の向きを縦軸まわりに回転させることで、正面側に向けることによりフック部材１１がフード付き衣類３のフード部分と干渉することを容易に回避できる。
【００４２】
また、上記実施形態では、ハンガー用冶具２は、その全体がハンガー１よりやや細い針金からなっているものとしたが、ハンガー１と同等か、それ以上の太さの針金からなっているものであってもよいし、さらには、その一部又は全部が木製や合成樹脂性のものであってもよいことはいうまでもない。
【符号の説明】
【００４３】
１  ハンガー
１１  フック部材
１２  ショルダ部材
１３  連結部材
２  ハンガー用冶具
２１  フード被せ部
２２  取り付け部
【先行技術文献】
【特許文献】
【００４４】
【特許文献１】特開２００３−１２６５９６号公報
【特許文献２】実用新案登録第３０９３８３２号公報
【特許文献３】実用新案登録第３１２２８６８号公報
【特許文献４】実開平７−３４９４公報
【図１】
2014209944.tif 000003
【図２】
2014209944.tif 000004
【図３】
2014209944.tif 000005